(57)【要約】【課題】作業者が布類を投入装置に投入する際に端辺の中央部の位置出しをしなくとも、横行部に移送される布類が落下することを防止することが可能な布類供給方法および装置の提供。【解決手段】投入装置に投入された布類を幅方向に配設されたレールを有する支持梁まで上方に移送し、掴持手段を有し、レール上を移動自在に構成された横行部を備える受渡機構により布類を受け取り、布類を幅方向に展張すると共に、受渡機構に保持された布類をレールと直交する方向に布類を搬送するコンベヤに供給する布類の供給方法において、支持梁と対向して幅方向に設けられ、弾性部材により付勢された当接部材を備える押さえ機構により横行部により移送される布類を押さながら移送することを特徴とする方法。およびその装置。【選択図】図３
2009136475.tif 000002
【特許請求の範囲】
【請求項１】
本体の幅方向に配設されたレールを有する支持梁と、投入された布類を支持梁まで上方に移送する投入装置と、レール上を移動自在に構成された横行部を有し、投入装置から布類を受け取り、布類を幅方向に展張し、後方へ移送する受渡機構と、受渡機構から布類を受け取ってレールと直交する方向に布類を搬送するコンベヤとを備える布類供給装置において、
支持梁と対向して幅方向に設けられ、横行部により移送される布類を弾性部材により付勢された当接部材により押さえる押さえ機構を備えることを特徴とする装置。
【請求項２】
前記押さえ機構を複数設けることを特徴とする請求項１記載の布類供給装置。
【請求項３】
前記当接部材は、複数の可動ローラであることを特徴とする請求項１または２記載の布類供給装置。
【請求項４】
前記投入装置を複数台設け、前記可動ローラを正逆回転可能に構成することを特徴とする請求項３の布類供給装置。
【請求項５】
投入装置に投入された布類を幅方向に配設されたレールを有する支持梁まで上方に移送し、掴持手段を有し、レール上を移動自在に構成された横行部を備える受渡機構により布類を受け取り、布類を幅方向に展張すると共に、受渡機構に保持された布類をレールと直交する方向に布類を搬送するコンベヤに供給する布類の供給方法において、
支持梁と対向して幅方向に設けられ、弾性部材により付勢された当接部材を備える押さえ機構により横行部により移送される布類を押さながら移送することを特徴とする方法。
【請求項６】
前記押さえ機構を複数設けることを特徴とする請求項５記載の布類供給方法。
【請求項７】
前記当接部材は、複数の可動ローラであることを特徴とする請求項５または６記載の布類供給方法。
【請求項８】
前記投入装置を複数台設け、前記可動ローラを正逆回転可能に構成することを特徴とする請求項７の布類供給方法。
【発明の詳細な説明】
【技術分野】
【０００１】
本発明は、布類の位置のずれを整合して展張し、プレス機や折畳み機等の次工程装置側に搬送させるための布類供給方法および装置に関するものである。なお、本明細書における布類とは、シーツ、包布、タオル等の方形の布類をいう。
【背景技術】
【０００２】
多量の布類を洗濯する場合には、洗濯済みのものを一定のラインに沿って搬送しながら脱水、乾燥、プレス、折り畳み等の処理を行なうこととなる。特にプレスを行う際には、布類を予め展張させた状態でラインへ投入する必要があるが、大型の布類を拡げて乱れなく投入することは困難であり、人手で行うには身体的負荷が大きかった。例えば、ロール仕上機に洗濯物を供給する際には、折目状皺がロール仕上機処理の際に形成されないように洗濯物を広げて平滑化することが重要である。
供給装置に洗濯物を供給する装置としては、例えば、供給方向に見て供給方向に対して任意の角度に洗濯物の後縁が引き伸ばされている状態で前記洗濯物が供給される搬送面と、前記後縁を供給方向に対して所定の角度に整合する整合手段とを具備し、供給方向に対して横方向に前記後縁に沿って複数の位置において前記後縁の位置を検出する検出装置を前記整合手段が有する供給装置において、供給方向に対して所定の角度をなす直線に沿って洗濯物を制動する制動装置を前記整合手段が更に有し、前記後縁が前記直線を通過する際に前記洗濯物の前記後縁を制動するために前記制動装置が作動させられるように前記検出装置と前記制動装置とが共働することを特徴とする、洗濯物処理装置へ洗濯物を供給する装置が提言されている（特許文献１）。
【０００３】
洗濯物を特許文献１に記載の装置に送り込む装置としては、最初に、洗濯物の前面縁端の伸長部分を把持し、次に、該最先の前面縁部が送り込み装置を向いた状態で洗濯物を送り込み装置内に搬送し得るようにしたコンベヤと、２つの拡げローラ部材と、送り込み方向に見て、コンベヤの前面に設けられ、その目的を果たし得るようにした制御手段によって送り込み方向に関して洗濯物が右方向に、又は左方向に案内されるような方法にて洗濯物が拡げ部材の各々に摩擦状態に接触可能にする手段とを備える、略矩形の洗濯物を送り込み装置内に挿入する装置にして、拡げローラ部材と洗濯物とを摩擦状態に接触させる前記手段が設けられ、拡げローラ部材の表面に孔が形成され、洗濯物が吸引されて前記拡げローラ部材と係合するように、該拡げローラ部材内に負圧を発生させる手段が設けられることを特徴とする挿入装置がある（特許文献２）。
【０００４】
コンベヤベルトにその側部から直交して布を供給する装置としては、出願人が提言した、前後方向に移動自在なる移動体と、該移動体に設けられていて、方形状布類の１つの角部と該角部に連続する縁部の一部を掴持し得る掴持手段と、前記移動体を移動せしめる移動体駆動装置と、前記掴持手段の高さ位置より低位置にあって該掴持手段が方形状布類を掴持した状態で移動体が後退したときに、該方形状布類を下方から支持し得る載置台と、該載置台の前縁部における、前記掴持手段の中間位置の移動体移動方向延長線の直下位置にあって前方に向けて突出する如く形成した布類拡張部、とを備えたことを特徴とする方形状布類の縁出し装置や（特許文献３）、シーツのような大面積の布類の一辺の両端角部を保持して所定高位置まで吊上げ、その吊上げ布類の両端角部をそれぞれチャックで保持して左右に離間・展張させ、その上辺部展張布類の下部側を送込みローラにより吸引装置の吸引ボックス内に送込み、該吸引ボックス内を下方に吸引して布類をきれいに展張させるようにした布類展張機であって、前記送込みローラは、吸引ボックスの前壁の上端部において上下動可能に設置しているとともに、前記送込みローラを上下動させる上下動装置を備えた、ことを特徴とする布類展張機（特許文献４）がある。
【０００５】
また、コンベヤベルトを横断して往復運動する横行部を備え、横行部の有する掴持手段により布類を把持しながら横行部の両側面に布類が略逆Ｕ字形状となるよう垂れ下げた状態とし、近接する上方コンベヤおよび下方コンベヤからなる折り部に横行部に垂れ下げられた布類の片側を二つ折りとして受け渡す公知の装置がある（非特許文献１）。
【０００６】
【特許文献１】特許第３８３９０７６号公報
【特許文献２】特開平０８−１６８５９８号公報
【特許文献３】特公平０６−０４９１１９号公報
【特許文献４】特開２００４−１６９２０１号公報
【非特許文献１】ＪＥＮＳＥＮ社発売の「ＥＸＴＲＥＭＥ ＦＥＥＤＥＲ」に添付の操作マニュアル
【発明の開示】
【発明が解決しようとする課題】
【０００７】
本体の幅方向に配設されたレールを有する支持梁と、投入された布類を支持梁まで上方に移送する投入装置と、レール上を移動自在に構成された横行部を有し、投入装置から布類を受け取り、布類を幅方向に展張し、後方へ移送する受渡機構を備える布類供給装置としては、特許文献１〜４および非特許文献１に記載されるものがある。
例えば、非特許文献１に記載されるものは、図５に示すように、横行部１０から垂れ下がる布類を、折り部２０で受け、チャック１３，１３に受け渡され、チャック１３，１３が離間方向に移動することで展張され、ブロー管１６によりエアブローされて、移送コンベヤ２５へ受け渡す構成である。
【０００８】
ところで、搬送装置と直交して往復動する横行部を備える布類供給装置においては、横行部から垂れ下がる布類の端辺の水平位置がほぼ同じになっていることが前提とされる（図５参照）。しかし、図６に示す如く、横行部から垂れ下がる布類の端辺の水平位置が非均等である状態では、横行部により布類を移送しながら転送する際に、布類が落下してしまうという課題があった。そのため、布類の端辺の水平位置を揃えるために、布類の端辺の中央部が投入装置の中央部と重なるように投入作業が行われる。しかしながら、タオル等の比較的小さな布類の場合は、布類の端辺の中央部を投入することが大きな負担となることはないが、シーツ等の大型の布類においては、端辺の中央部の位置出しをすることは、作業者にとって大きな負担となる。そのため、作業者が布類の端辺の中央部の位置出しをしなくとも、横行部により移送される布類の落下を防止することができる方法および装置が求められていた。
【０００９】
本発明は、作業者が布類を投入装置に投入する際に端辺の中央部の位置出しをしなくとも、横行部に移送される布類が落下することを防止することが可能な布類供給方法および装置を提供することを目的とする。
【課題を解決するための手段】
【００１０】
第１の発明は、本体の幅方向に配設されたレールを有する支持梁と、投入された布類を支持梁まで上方に移送する投入装置と、レール上を移動自在に構成された横行部を有し、投入装置から布類を受け取り、布類を幅方向に展張し、後方へ移送する受渡機構と、受渡機構から布類を受け取ってレールと直交する方向に布類を搬送するコンベヤとを備える布類供給装置において、支持梁と対向して幅方向に設けられ、横行部により移送される布類を弾性部材により付勢された当接部材により押さえる押さえ機構を備えることを特徴とする装置である。
第２の発明は、第１の発明において、前記押さえ機構を複数設けることを特徴とする。
第３の発明は、第１または２の発明において、前記当接部材は、複数の可動ローラであることを特徴とする。
第４の発明は、第３の発明において、前記投入装置を複数台設け、前記可動ローラを正逆回転可能に構成することを特徴とする。
【００１１】
第５の発明は、投入装置に投入された布類を幅方向に配設されたレールを有する支持梁まで上方に移送し、掴持手段を有し、レール上を移動自在に構成された横行部を備える受渡機構により布類を受け取り、布類を幅方向に展張すると共に、受渡機構に保持された布類をレールと直交する方向に布類を搬送するコンベヤに供給する布類の供給方法において、支持梁と対向して幅方向に設けられ、弾性部材により付勢された当接部材を備える押さえ機構により横行部により移送される布類を押さながら移送することを特徴とする方法である。
第６の発明は、第５の発明において、前記押さえ機構を複数設けることを特徴とする。
第７の発明は、第５または６の発明において、前記当接部材は、複数の可動ローラであることを特徴とする。
第８の発明は、第７の発明において、前記投入装置を複数台設け、前記可動ローラを正逆回転可能に構成することを特徴とする。
【発明の効果】
【００１２】
本発明によれば、作業者が布類を投入装置に投入する際に端辺の中央部の位置出しをしなくとも、横行部から垂れ下がる布類の落下を防止することが可能となる。
【発明を実施するための最良の形態】
【００１３】
本発明を実施するための最良の形態の布類供給装置は、本体１の幅方向に配設されたレール９を有する支持梁７，８と、端辺が投入された布類３をレール９が配設された支持梁７，８まで上方に移送する公知の投入装置２と、投入装置２から布類３を受け取る掴持手段１１を有し、支持梁７，８の両側部から布類３の端辺が垂れ下がった状態で布類３を保持し、レール９に沿って移動可能な横行部１０と、支持梁８と対向して設けられた複数組の押さえ機構５０と、本体の幅方向に設けられた複数組の整合機構３０と、整合機構３０により垂れ下がり位置を整合された布類３を二つ折り状態で排出する折り部２０と、折り部２０から布類３を受け取って展張する展張機構４０と、展張機構４０から布類を受け取ってレール９と直交する方向に布類３を搬送する搬送装置である移送コンベヤ２５および排出コンベヤ２６とを備える。
【００１４】
押さえ機構５０は、弾性部材に付勢された当接部材を備え、当接部材により横行部１０に移送される布類３が横行可能な強度で支持梁８に押さえつけるよう作用する。横行部１０による展張時に押さえ機構５０と支持梁８で布類３が挟まれた状態で移送されるため、前工程である投入装置２への投入時に布類が幅方向の略中央で投入されなかったことを原因とする布類３の落下を回避することが可能である。当接部材は、摩擦係数の小さい非可動部材で構成することもできるが、最良の形態の当接部材としては、正逆回転可能な複数の可動ローラ５１で構成することが例示される。
また、押さえ機構５０は、エアシリンダやアクチュエーター等の公知の駆動手段により上下動自在に構成されている。
【００１５】
整合機構３０は、横行部１０が保持する布類３の投入装置側の垂れ下がり部分をローラ３１，３２で狭んで布類を下方へ移動して垂れ下がり位置を整合する。
展張機構４０は、上方コンベヤ２１および下方コンベヤ２２からなり、それらの間隙に投入された布類３を二つ折り状態で排出する折り部２０と、幅方向に移動する一対のスプレッドチャック１３からなり、折り部２０から布類３を受け取って展張する。
【００１６】
大きさの異なる布類に対応するためには、押さえ機構５０および整合機構３０は幅方向に複数設けることが好ましい。
一対のスプレッドチャック１３は、サーボモータ等の公知の駆動源により往復動可能であり、布類３を把持する際は両者の距離を縮め、布類３を展帳する際は両者を離間するよう作用する力が与えられる。
なお、本発明は、上記の構成に限定されず、搬送装置の進行方向と直交する方向から布
類を供給する構成の布類供給装置であれば実施可能である。例えば、折り部２０と
整合機構３０の代わりに、移送コンベヤ２５の搬送方向と同一方向に水平往復動する受渡
し装置（特許文献４参照）を備える布類供給装置に押さえ機構５０を付加してもよい。
【００１７】
以下では、本発明を実施するための最良の形態を実施例により説明するが、本発明は何ら実施例に限定されるものではない。
【実施例】
【００１８】
図１は本実施例の布類供給装置を上方から見た図面であり、図２は実施例に係る布類供給装置を透過的に示した側面図であり、図３はセンサ群等を説明するために、本体１を透過的に示した正面図である。なお、布類３および押さえ機構５０は図示していない。
本実施例の布類供給装置は、フロントパネル４の両端に投入装置２ａ、２ｂを有しており、本体１への布類の供給を２台の投入装置２ａ、２ｂから並行して作業することができる。投入装置２ａ、２ｂは、例えば特許文献１および２に示されるような公知の構造をしており、投入装置２の有する上下のコンベヤベルトで布類３を挟持してレール９の端部まで搬送する。ここで、投入装置２に布類３を投入する際には、投入する布類３の端辺の中央部が投入装置２の中央部と重なるように投入するのが好ましいのは先に述べたとおりである。このように布類３の中央部が投入装置２の中央部と重なるよう投入されると、布類３の位置を整合しなくとも、図６に示すように、横行部１０から垂れ下がる布類３の端辺の水平位置がほぼ同じ状態となるからである。一方で、布類３を投入装置２ａに投入する場合において、布類３の端辺の中央部より左にずれた位置が投入装置２の中央部と重なるように投入されると、布類３の位置を整合しないと、図６に示すように折り部側の端辺の位置が下方に位置する状態となってしまう。かかる場合において、横行部１０により移送される布類３が支持梁７，８から落下することを防止するための押さえ機構５０を、本実施例の布類供給装置は備えている。
【００１９】
フロントパネル４の奥には、幅方向にレール９が配設されており、このレール９上を横行部１０が往復運動する。横行部１０は、略二等辺三角形の形状をした一対の掴持手段１１を備えており、二等辺の頂点を始点に掴持手段１１をシーソー動させることで投入装置２ａ、２ｂの夫々から受け渡される布類３の端辺を掴持（把持）することができる。投入装置２ａ、２ｂにより搬送された布類は、投入された側の端辺が横行部１０の掴持手段１１と対向するよう投入装置２ａ、２ｂの終端位置で回転される。レール９の端部で投入装置２ａ、２ｂから布類３を受け取った横行部１０は、横行部１０の両側部から布類３の端辺が垂れ下がった状態で布類３の中央部が本体１の中央軸線Ｐと重なるまでレール９上を移動する。この際、横行部により移送される布類３は、後述する押さえ機構５０により支持梁８に押さえつけられた状態で中央部まで移送されるため、支持梁７，８から布類３が投入者側あるいは搬送装置側にずり落ちることはない。
【００２０】
横行部１０により幅方向に展張され、垂れ下がった状態にある布類３の端辺は、本体の左右の側部に高さ方向に配置された複数の光電素子からなるセンサ５ａ、５ｂからなるセンサ群が検知し、布類３の端辺の傾き具合および投入者側の位置が認識される。
センサ５ａ、５ｂは、それぞれ１０個設けられており、内５個が投入者側端辺を検知し、内５個が折り部側端辺を検知する。支持梁７，８から垂れ下がった布類の上下の位置（端辺）を検知することで、制御部が布類３の傾斜を算出することが可能となる。
なお、センサ５の種別および数量は設計事項であって本実施例のものに限定されず、また投入者側または折り部側の一方のみを検知する構成としてもよい。
【００２１】
センサ群から受信した信号に基づき整合機構３０が作動し、布類３の垂れ下がり位置および傾きを整合する。整合された布類３は、ブロー管１５によりエアブローされて、上方コンベヤ２１および下方コンベヤ２２からなる折り部２０に二つ折りにされて受け渡される。折り部２０から排出された布類３は展張機構４０に受け渡されて展張される。展張機構４０は、幅方向に移動自在の一対のスプレッドチャック１３ａ、１３ｂから構成される。前進位置で布類３の端辺を把持したスプレッドチャック１３ａ、１３ｂは、サーボモータ１２ａ、１２ｂにより幅を拡大する方向（後退方向）に作用する力を与えられ、布類３を展張状態とする。展張状態とされた布類３は、スプレッドチャック１３ａ、１３ｂから開放されると共にブロー管１６によりエアブローをされて、次工程に搬送する搬送装置である移送コンベヤ２５および排出コンベヤ２６に受け渡される。
【００２２】
図５は、横行部１０に垂れ下がる布類３の端辺ＡおよびＢの水平位置がほぼ同じ状態における次工程への受け渡し処理を示す図面である。図５（ａ）に示すように、横行部１０に保持された布類３は、投入者側に設けられた公知の整形ブラシ１４により皺を伸ばされ、ブロー管１５からのエアブローにより折り部２０に送出される。図５（ｂ）に示すように、ブロー管１５からのエアブローにより布類３の折り部側がＣの位置で二つ折りとされ、折り部２０を構成する上方コンベヤ２１と下方コンベヤ２２の間隙に投入される。下方コンベヤ２２を搬送される布類３の形状は、端辺Ａが後端部となり、Ｃが先端部となる。下方コンベヤ２２の後端部から布類３が排出されると、図示しないセンサが先端部Ｃを検知する。そして、二枚重ねの部分の終端部（端辺Ｂ）を検知するとスプレッドチャック１３を前進移動させ、図５（ｃ）に示すように、布類３の端辺Ａを把持させる。
このように、布類３の端辺ＡおよびＢの水平位置がほぼ同じ状態においては、投入者側の整形された端辺Ａがスプレッドチャック１３により把持される。
【００２３】
図６は、横行部１０に布類３の折り部側の端辺Ｂが投入者側の端辺Ａより下方に位置する状態における次工程への受け渡し処理を示す図面である。図６（ａ）に示すように、横行部１０に保持された布類３は、投入者側に設けられた整形ブラシ１４により皺を伸ばされ、ブロー管１５からのエアブローにより折り部２０に送出される。図６（ｂ）に示すように、ブロー管１５からのエアブローにより布類３の折り部側がＣの位置で二つ折りとされ、折り部２０を構成する上方コンベヤ２１と下方コンベヤ２２の間隙に投入される。下方コンベヤ２２を搬送される布類３の形状は、端辺Ｂが後端部となり、Ｃが先端部となる。下方コンベヤ２２の後端部から布類３が排出されると、図示しないセンサが先端部Ｃを検知する。そして、二枚重ねの部分の終端部（端辺Ａ）を検知するとスプレッドチャック１３を前進移動させ、図６（ｃ）に示すように、布類３の端辺Ｂを把持させる。
【００２４】
このように、布類３の端辺Ｂが端辺Ａよりも下方に位置する状態においては、整合機構３０を設けないと、折り部側のエアブローで乱れた端辺Ｂがスプレッドチャック１３により把持されることとなり、さらには、スプレッドチャック１３が布類３を把持できない場合さえある。より詳細には、二つ折り時における端辺Ａと端辺Ｂの位置が近い場合には、二枚重ねの終端部と布類３の後端部の距離が短くなるため、センサからの信号受信後のスプレッドチャック１３の作動が追いつかず、布類３が落下してしまうことがある。
【００２５】
また、投入者側の端辺Ａが折り部側の端辺Ｂより下方に位置する状態では、二枚重ねの終端部と布類３の後端部との距離が充分に確保されるため、スプレッドチャック１３により布類３を把持することができ、またスプレッドチャック１２により把持される端辺も整形された端辺Ａとなる。このため、本実施例の整合機構３０より布類３の垂れ下がり状態の整合が必要となるのは、図６に示すように、折り部側の端辺が投入者側の端辺よりも下方に位置する場合となる。なお、垂れ下がり位置に問題が無い場合においても、布類の端辺が水平でなく傾いている場合には、傾きの整合が必要となることは言うまでもない。
【００２６】
本実施例の押さえ機構５０について説明する。
図７（ａ）は押さえ機構５０の側部断面図であり、図７（ｂ）は押さえ機構５０の背面図である。図８は、図７の変形例の要部拡大図である。
本実施例の布類供給装置は、３つの押さえ機構５０を備えており、１つが中央軸線Ｐと同一中心軸に設けられ、他の２つが中央軸線Ｐを挟んで対称に設けられている。押さえ機構５０は、４つの可動ローラ５１を備え、横行部１０による布類の移送時に可動ローラ５１が布類を支持梁８に押さえつけて横行時の落下を防止する。
可動ローラ５１はゴム製の車輪であり、支持ボルト５５によりフレーム５２に可動に配設される。図７では４個の可動ローラ５１が配設され、図８では３個の可動ローラ５１が配設されているが、配設する可動ローラの数はこれらに限定されない。フレーム５２はシリンダ５３のピストン５７に接続されたスプリング部材５６に固設されており、シリンダ５３により上下に移動する。シリンダ５３はシリンダブラケット５４に固設されている。
【００２７】
押さえ機構５０は、サーボモータにより駆動される横行部１０の位置情報に基づき所定のタイミングで上下動する。押さえ機構５０は、待機時には上昇位置（図７（ｂ）の点線位置）に位置する。横行部１０が押さえ機構５０の下方を通過すると、ピストン５７が進出することで速やかに下降位置に下降し、スプリング部材５６の弾性力により横行部１０による移送が可能な強度で布類３を支持梁８に一定時間押しつける。この際、布類３の移送方向に可動ローラ５１が回転する。図７（ｂ）および図８（ｂ）において、可動ローラ５１は、横行部１０が右から左に移動する際には時計回りに回転し、横行部１０が左から右に移動する際には反時計回りに回転する。
【００２８】
本実施例の整合機構３０について説明する。
図４は、整合機構３０を説明するために、本体１の要部を透過的に示した正面図である。
本実施例の整合機構３０は、可動ローラ３１ａ〜ｄと、固定ローラ３２ａ〜ｄと、伸縮シリンダ１７ａ〜ｄおよび伸縮シリンダ１８ａ〜ｄとから構成される。
可動ローラ３１は、その両端部が伸縮シリンダ１７，１８と接続されたフリーローラであり、伸縮シリンダ１７，１８の作動により前進動可能である。固定ローラ３２は、梁７に設けられた切り込みから外部に突出した駆動ローラである。
布類３の位置を修正する必要がある場合には、可動ローラ３１が前進位置にて固定ローラ３２と協動して布類３を下方に移動させるよう作用する。
本実施例の布類供給装置は、可動ローラ３１と固定ローラ３２を４組備えており、図４に示すように、幅方向に並列される。このように並列配置された複数の可動ローラ３１と固定ローラ３２のうちいずれかの組を選択的に作動させることによって端辺の傾斜状態を整合することが可能である。例えば、布類３の投入者側の端辺Ｂが左上がりになっている場合には、可動ローラ３１ｄ（場合によっては可動ローラ３１ｃも）を前進移動させればよい。
【００２９】
布類３の垂れ下がり位置および傾斜状態の整合処理が終了すると、ブロー管１５からのエアブローによりローラ３４とローラ３６の間隙に布類３が送出される。この前に、公知の整形ブラシ１４ａ、１４ｂにより布類３の皺を伸ばしておくことが好ましい。
エアブローされた布類３は、上方コンベヤ２１と下方コンベヤ２２により二つ折り状態で搬送され、下方コンベヤ２２の後端部から落下され、スプレッドチャック１３により端辺Ａを把持される。端辺Ａを把持したスプレッドチャック１３は、布類３を展張する。展張された布類３は、ブロー管１６からのエアブローにより移送コンベヤ２５上に載置され、移送コンベヤ２５および排出コンベヤ２６によりプレス機や折畳み機等の次工程へ搬送される。
【００３０】
以上のように、本実施例の布類供給装置によれば、横行部１０による移送時に布類３が支持梁７，８から落下することを防止でき、その後横行部１０から垂れ下がる布類３の垂れ下がり位置および傾きを整合して次工程に布類を受け渡すことが可能となる。従来装置のように、エアブローで乱れた側の端辺を展張することが無くなり品質が向上するだけではなく、次工程への受け渡し時に生ずる布類３の落下を完全に無くすことができるため、生産性の向上にも寄与するものである。
【図面の簡単な説明】
【００３１】
【図１】実施例に係る布類供給装置の平面図である。
【図２】実施例に係る布類供給装置を透過的に示した側面図である。
【図３】センサ群等を説明するための布類供給装置の正面図である。
【図４】整合機構を説明するための布類供給装置の正面図である。
【図５】布類の端辺の水平位置がほぼ同じ場合における次工程への受け渡し処理を示す図面である。
【図６】布類の端辺が左右非均等に垂れ下がった場合における次工程への受け渡し処理を示す図面である。
【図７】押さえ機構を説明するための図面である。
【図８】図７の変形例の要部拡大図である。
【符号の説明】
【００３２】
１  本体
２  投入装置
３  布類
４  フロントパネル
５  センサ群
７，８  支持梁
９  レール
１０  横行部
１１  掴持手段
１２  サーボモータ（スプレッドチャック用）
１３  スプレッドチャック
１４  整形ブラシ
１５，１６  ブロー管
１７，１８  伸縮シリンダ
１９  サーボモータ（整形ブラシ用）
２０  折り部
２１  上方コンベヤ
２２  下方コンベヤ
２５  移送コンベヤ
２６  排出コンベヤ
３０  整合機構
３１  可動ローラ
３２  固定ローラ
３４〜３７  送りローラ
４０  展張機構
５０  押さえ機構
５１  可動ローラ
５２  フレーム
５３  シリンダ
５４  シリンダブラケット
５５  保持ボルト
５６  スプリング部材
５７  ピストン
【図１】
2009136475.tif 000003
【図２】
2009136475.tif 000004
【図３】
2009136475.tif 000005
【図４】
2009136475.tif 000006
【図５】
2009136475.tif 000007
【図６】
2009136475.tif 000008
【図７】
2009136475.tif 000009
【図８】
2009136475.tif 000010